(57)【要約】      （修正有）【課題】乗りかご内での作業で簡単且つ確実に空調用開口部を閉塞できる構造を提供する。【解決手段】側板１０における空気流通口の周縁部に、閉塞板７０が乗りかごの外側への脱落を防止する脱落防止片６０が設けられ、閉塞板７０の外側に空気流通口の外側周縁部に係止する係止片７１が設けられている。係止片７１は、閉塞板７０の裏面に沿って回動可能に設けられると共に、回動に伴い閉塞板７０の輪郭外側へ突出して空気流通部の外側周縁に係止される。【選択図】図５
2008037615.tif 000002
【特許請求の範囲】
【請求項１】
エレベータの乗りかごの側板に形成された空気流通部に、前記乗りかご室内側に配置された空調装置本体の背面側が対向するように取り付けられるエレベータ用空調装置の取り外し時の前記空気流通部を閉塞板で閉塞する、乗りかご側板の空調用開口部の閉塞構造であって、
前記側板における前記空気流通部の周縁部に、前記閉塞板が乗りかごの外側への脱落を抑制する脱落抑制片が設けられ、前記閉塞板の外側に前記空気流通部の外側周縁部に係止する係止片が設けられていることを特徴とする乗りかご側板の空調用開口部の閉塞構造。
【請求項２】
前記係止片は、前記閉塞板の裏面に沿って回動可能に設けられると共に、回動に伴い前記閉塞板の輪郭外側へ突出して前記空気流通部の外側周縁に係止されることを特徴とする請求項１記載の乗りかご側板の空調用開口部の閉塞構造。
【請求項３】
エレベータの乗りかごの側板に形成された空気流通部に、前記乗りかご室内側に配置された空調装置本体の背面側が対向するように取り付けられるエレベータ用空調装置の取り外し時の前記空気流通部を閉塞板で閉塞する、乗りかご側板の空調用開口部の閉塞構造であって、
前記側板における前記空気流通部の周縁部に、前記閉塞板が乗りかごの外側への脱落を抑制する脱落抑制片が設けられ、
前記閉塞板の周面と前記空気流通部の内周壁面との間に、パッキン材が充填されていることを特徴とする乗りかご側板の空調用開口部の閉塞構造。
【請求項４】
前記空調装置本体は、室内機と室外機との機能が一体となることを特徴とする請求項１または３に記載の空調用開口部の閉塞構造。
【発明の詳細な説明】
【技術分野】
【０００１】
本発明はエレベータの乗りかご側板の空調用開口部の閉塞構造に関し、さらに詳しくは、乗りかご側板に取り付けた一体型空調装置を取り外した際に空調用開口部を閉塞板で閉塞する構造に関する。
【背景技術】
【０００２】
エレベータの乗りかご用空調装置としては、乗りかご外の上部に室内ユニットと室外ユニットとを配置したもの（例えば、特許文献１参照）が知られている。この他に、空調ユニットが乗りかごの上に配置され、空調ユニットからダクトを介して連通するように接続された吹き出し装置を乗りかご室内に備えるものも知られている（例えば、特許文献２参照）。
【特許文献１】特開平５−３１９７４３号公報
【特許文献２】特開２００５−２８０９０１号公報
【発明の開示】
【発明が解決しようとする課題】
【０００３】
しかしながら、上記した従来技術のように、乗りかご外の上部に空調ユニットなどを載置する場合、乗りかごが昇降路の最上位置にあるときの昇降路の天井面と乗りかご上部との間の寸法（オーバーヘッド寸法）の変更を余儀なくされる場合があった。また、最上位置での乗りかご外の上部の省スペース化を図る必要があるため、乗りかご上への空調ユニットなどの設置には制約があった。また、乗りかごの上には、各種の設備が搭載されているため、さらに空調ユニットなどを追加配置することは設計上の問題点があった。
【０００４】
そこで、一体型の空調装置を乗りかご内に据え付けようとした場合、側板に空調用開口部（熱交換用の空気流通口）を開設する必要がある。例えば、空調装置を夏場のクーラーとして用いて、夏場以外の時期は空調装置を取り外す場合、空気流通口を閉塞する必要があった。
【０００５】
本発明の目的は、乗りかご内での作業で簡単且つ確実に空調用開口部を閉塞できる構造を提供することにある。
【課題を解決するための手段】
【０００６】
本発明の第１の特徴は、エレベータの乗りかごの側板に形成された空気流通口に、前記乗りかご室内側に配置された一体型の空調装置本体の背面側が対向するように取り付けられるエレベータ用空調装置の取り外し時の前記空気流通口を閉塞板で閉塞する、乗りかご側板の空調用開口部の閉塞構造であって、前記側板における前記空気流通口の周縁部に、前記閉塞板が乗りかごの外側への脱落を防止する脱落防止片が設けられ、前記閉塞板の外側に前記空気流通口の外側周縁部に係止する係止片が設けられていることを要旨とする。
【０００７】
本発明の第２の特徴は、エレベータの乗りかごの側板に形成された空気流通口に、前記乗りかご室内側に配置された一体型の空調装置本体の背面側が対向するように取り付けられるエレベータ用空調装置の取り外し時の前記空気流通口を閉塞板で閉塞する、乗りかご側板の空調用開口部の閉塞構造であって、前記側板における前記空気流通口の周縁部に、前記閉塞板が乗りかごの外側への脱落を防止する脱落防止片が設けられ、前記閉塞板の周面と前記空気流通口の内周壁面との間に、パッキン材が充填されていることを要旨とする。
【発明の効果】
【０００８】
本発明によれば、既存の乗りかごに対して、乗りかごの側板に空気流通口を形成した場合に、空調装置を取り外した際に、空気流通口を簡単且つ確実に閉塞板で閉塞することができる。
【発明を実施するための最良の形態】
【０００９】
以下、本発明の実施の形態に係る乗りかご側板の空調用開口部の閉塞構造の詳細を図面に基づいて説明する。なお、本実施の形態の乗りかご側板の空調用開口部の閉塞構造の説明に先駆けてエレベータ用空調装置の取付構造について説明する。
【００１０】
（エレベータ用空調装置の取付構造）
図１は本発明の実施の形態に係る取付構造を適用して取り付けられたエレベータ用空調装置（以下、空調装置という。）１を示す斜視図であり、乗りかご２の室内を示している。本実施の形態において、空調装置１は、乗りかご２の側板１０の上部に据え付けられている。なお、本実施の形態では、空調装置１をドアの側方に位置する側板に配置したが、ドアと対向する背面側の側板（背面板）に据え付けてもよい。
【００１１】
本実施の形態に係る空調装置１は、図３に示す、乗りかご２の側板１０に形成された空気流通口１１Ａと、この空気流通口１１Ａを挟む両側の側板１０に形成された取付固定具挿入口１２と、図２に示す、外側補強部材２０と、側板１０の室内側の面に配置され、外側補強部材２０と共に側板１０に固定された取付用ブラケット３０と、この取付用ブラケット３０に固定された一体型の空調装置本体４０と、この空調装置本体４０を覆うカバー５０と、を備えて大略構成されている。
【００１２】
本実施の形態において、取付固定具挿入口１２は、図１および図３に示すように、空気流通口１１Ａを挟む両側（水平方向両側）にそれぞれ上下に沿って２つ開口されている。
【００１３】
外側補強部材２０は、長手方向に対して直交する方向で切断した断面が例えばＵ字状のチャネル鋼材でなり、側板１０の裏面側に当接する添板部２１に上記取付固定具挿入口１２と対応する穴（図示省略する）が形成され、この穴にボルト２２の先端部が側板１０の裏面側に当接面から突出する状態でボルト２２の頭部が添板部２１に固定されている。このため、外側補強部材２０を側板１０の外側面に位置決めして、ボルト２２を取付固定具挿入口１２に直ちに挿入できるため作業性がよく、またボルト２２や外側補強部材２０が昇降路内に落下することを抑制できる。なお、本実施の形態では、ボルト２２が添板部２１に固定されているが、固定されていなくともよい。
【００１４】
取付用ブラケット３０は、図２および図４に示すように、側板１０の室内側の面に当接された板状の取付部３１と、取付部３１の上端で折り曲げられてこの取付部３１と直角をなす腕部３２とを有する。取付部３１の下端部は、腕部３２とほぼ平行をなすように室内側に折り曲げられたカバー取付片３３が形成されている。このカバー取付片３３には、ねじ穴３３Ａが形成されている。取付部３１には、外側補強部材２０のボルト２２と対応する位置にボルト挿通口としての一対の取付穴３１Ａ，３１Ａが開設されている。取付用ブラケット３０は、側板１０から突出する外側補強部材２０のボルト２２を取付部３１の取付穴３１Ａに通し、ボルト２２にナット２３を螺合させることにより確実に固定されている。
【００１５】
腕部３２上面における取付部３１の近傍には、カバー係止片３４が設けられている。このカバー係止片３４の下部には、嵩上げのためにＵ字状に折り曲げられた部分を有する。腕部３２の先端部は、下方に折り曲げられた補強片取付部３５が形成されている。補強片取付部３５とカバー係止片３４の中間部には、Ｌ字状に折り曲げられた補強片３６がわたる渡るように固定されている。この補強片３６は、カバー係止片３４のぐらつきを防止する補強作用を有する。この取付用ブラケット３０の取付部３１および腕部３２には、チャネル材のような補強構造を有している。腕部３２には、所定間隔で一対の取付穴３２Ａ，３２Ａが開設されている。
【００１６】
空調装置本体４０は、一体型の空調装置であり、側板１０と対向する裏面側で熱交換用空気の流通を行う。この空調装置本体４０の前面には、下部に冷却風を吹き出す吹き出し口と、上部に乗りかご室内の空気を吸い込む吸気口とがある。
【００１７】
図２および図４に示すように、空調装置本体４０の両側部には、水平方向沿ってＬ字状のチャネル材でなるブラケット４１が固定されている。図４に示すように、このブラケット４１の水平板部４２には、上記腕部３２に形成した取付穴３２Ａ，３２Ａと対応する位置に一対の取付穴４２Ａ，４２Ａが開設されている。
【００１８】
図４に示すように、ブラケット４１を腕部３２に搭載することにより、空調装置本体４０を取付用ブラケット３０に取り付けることができるが、ブラケット４１と腕部３２との間には、緩衝用連結部材４３が介在される。この緩衝用連結部材４３は、中間に緩衝部材４４が設けられ、緩衝部材４４の両側に互いに同軸的に配置されたボルト部４５が設けられている。図４に示すように、緩衝用連結部材４３は、両側のボルト部４５が、腕部３２の取付穴３２Ａと水平板部４２の取付穴４２Ａに挿通され、それぞれワッシャ４６を介してナット４７で緊締されている。
【００１９】
空調装置本体４０の裏面側には、図示しない熱交換用空気流通口に図示しないフィルタが配置され、図４に示すように、パッキン４８が空調装置本体４０裏面の空気流通口ならびに側板１０に形成された空気流通口１１Ａを取り囲むように配置されている。
【００２０】
図１および図２に示すように、カバー５０は、空調装置本体４０の裏面以外を覆う筐体であり、空調装置本体４０の前面に設けられた冷却風を吹き出す吹き出し口（図示省略する。）と吸気口（図示省略する。）とに対応した領域に、複数の穴が集合して形成された、吹き出し領域５１と吸気領域５２とを有する。
【００２１】
このカバー５０は、図２に示すように、上部壁部５３の側板１０近傍の両側位置には、上記取付用ブラケット３０の上部に設けられたカバー係止片３４に引っ掛けるＬ字状のフック部５４が設けられている。また、カバー５０の底部壁部の側板１０近傍の両側位置には、取付用ブラケット３０の下部に設けられたカバー取付片３３に重なる取付片５６が設けられている。この取付片５６には、カバー取付片３３に形成されたねじ穴３３Ａに合致するねじ穴（図示省略する。）が形成されている。取付片５６のねじ穴とカバー取付片３３のねじ穴３３Ａを合わせてねじ５７を螺合させることにより、カバー５０を取付用ブラケット３０から外れないように固定することができる。
【００２２】
（乗りかご側板の空調用開口部の閉塞構造）
図５は本実施の形態の乗りかご側板の空調用開口部の閉塞構造を示す正面図であり、図６は図５のＡ−Ａ断面図、図７は図５のＢ−Ｂ断面図である。
【００２３】
上述の構成の空調装置１を取り外すと、図３、図５および図７に示すように側板１０に形成した空気流通口１１Ａが現れる。本実施の形態では、図３に示すように空気流通口１１Ａの四隅には、脱落防止片６０が外側から固設されている。この脱落防止片６０は、本実施の形態では長方形であり、側板１０の外側より空気流通口１１Ａの領域内に突出するように、例えば溶接などの固定手段により固設されている。
【００２４】
図５に示すように、閉塞板７０は、空気流通口１１Ａに嵌め込む形状であり、上下の辺にそれぞれ一対の取付片７１，７１がねじ７２で軸支され、それぞれ回動可能に設けられている。図５に示すように、取付片７１が空気流通口の周縁の側板１０の外側面に当接するように回動させ、この状態を固定することにより閉塞板７０が離脱することを防止している。図６に示すように、本実施の形態では、取付片７１が軸支されるねじ７２に、取付片７１と閉塞板７０との間に介在される、例えばゴム板などの弾性部材７３が配置されているため、ねじ７２を締めることによい、取付片７１が弾性部材７３を押し縮めて側板１０に圧接するようになっている。
【００２５】
本実施の形態では、空調装置１を取り除いた際に、乗りかご内での作業で簡単且つ確実に空調用開口部を閉塞できる。
【００２６】
（その他の実施の形態）
例えば、上記した実施の形態では、取付片７１を備えた閉塞板７０を用いたが、図８に示すように、閉塞板７０が取付片７１を備えない構成とし、閉塞板７０を空気流通口１１Ａに嵌め込む際にパッキン７４を介在させる構造としてもよい。
【００２７】
また、図９に示すように、空気流通１１Ａより大きめの閉塞板７０を、取付固定具挿入口１２を利用してねじ７５で固定する構造としてもよい。
【図面の簡単な説明】
【００２８】
【図１】エレベータ用空調装置の取付構造を示す斜視図。
【図２】エレベータ用空調装置の取付構造のカバーを縦に切断した状態を示す断面図。
【図３】エレベータ用空調装置の取付構造における側板に形成する空気流通口および取付固定具挿入口を示す平面図。
【図４】エレベータ用空調装置の取付構造のカバーを除いた分解側面図。
【図５】本発明の実施の形態に係る乗りかご側板の空調用開口部の閉塞構造を示す正面図。
【図６】図５のＡ−Ａ断面図。
【図７】図５のＢ−Ｂ断面図。
【図８】本発明の他の実施の形態に係る乗りかご側板の空調用開口部の閉塞構造を示す正面図。
【図９】本発明の他の実施の形態に係る乗りかご側板の空調用開口部の閉塞構造を示す正面図。
【符号の説明】
【００２９】
１  空調装置
１０  側板
１１Ａ  空気流通口
２０  外側補強部材
３０  取付用ブラケット
４０  空調装置本体
６０  脱落防止片
７０  閉塞板
７１  取付片
７４  パッキン
【図１】
2008037615.tif 000003
【図２】
2008037615.tif 000004
【図３】
2008037615.tif 000005
【図４】
2008037615.tif 000006
【図５】
2008037615.tif 000007
【図６】
2008037615.tif 000008
【図７】
2008037615.tif 000009
【図８】
2008037615.tif 000010
【図９】
2008037615.tif 000011